(57)【要約】【課題】エアバッグの展開方向についての先端の折り畳み部を円滑に展開させることのできるサイドエアバッグ装置を提供する。【解決手段】サイドエアバッグ装置は、インフレータアセンブリ３０及びエアバッグ４０を備える。インフレータアセンブリ３０は、車両用シートに着座している乗員の胸部の側方近傍に配置され、車両側方からの衝撃に応じ膨張用ガスを噴出する。エアバッグ４０は、複数の折り畳み部６６，６８，６９，７２，７３が形成されるように折り畳まれた状態で収納されており、インフレータアセンブリ３０からの膨張用ガスにより、車両用シートに着座している乗員の胸部から頭部にかけての部位と車両の側壁部との間で展開及び膨張する。このサイドエアバッグ装置では、エアバッグ４０の展開方向についての先端の折り畳み部６８，７２が車内側（図１２（ａ）の手前側）へ折り返されている。【選択図】図１２
2014237411.tif 000002
【特許請求の範囲】
【請求項１】
車両用シートに着座する乗員の胸部の側方近傍に配置され、車両側方からの衝撃に応じ膨張用ガスを噴出するインフレータと、複数の折り畳み部が形成されるように折り畳まれた状態で収納され、前記インフレータからの膨張用ガスにより、前記乗員の胸部から頭部にかけての部位と車両の側壁部との間で展開及び膨張するエアバッグとを備えるサイドエアバッグ装置であって、
前記エアバッグの展開方向についての先端の折り畳み部が車内側へ折り返されていることを特徴とするサイドエアバッグ装置。
【請求項２】
前記エアバッグの少なくとも一部は、複数の折り畳み部が形成されるように上方から下方へ向けて折り畳まれており、展開及び膨張を、下方から上方へ向けて行なうものであり、
前記エアバッグの上端の折り畳み部は、展開方向についての先端の折り畳み部として車内側へ折り返されている請求項１に記載のサイドエアバッグ装置。
【請求項３】
前記エアバッグは、略上下方向に延びる区画壁により、同区画壁よりも前側の前膨張室と後側の後膨張室とに仕切られており、
前記インフレータは前記後膨張室の下部に配置され、
前記区画壁において前記乗員の頭部の側方となる箇所には、前記後膨張室及び前記前膨張室を連通させる上部連通孔が設けられ、
前記区画壁において前記乗員の胸部の側方となる箇所には、前記後膨張室及び前記前膨張室を連通させる下部連通孔が設けられており、
上方から下方へ向けて折り畳まれた前記エアバッグのうち、前記区画壁よりも前側の領域は、同一方向に繰り返し折り畳むロール折りにより前方から後方へ向けて折り畳まれ、かつ前記区画壁よりも後側の領域は、折り返す方向を交互に変えて折り畳む蛇腹折りにより前方から後方へ向けて折り畳まれている請求項２に記載のサイドエアバッグ装置。
【請求項４】
前記エアバッグの少なくとも下部は、複数の折り畳み部が形成されるように前方から後方へ向けて折り畳まれており、前記展開及び膨張を、後方から前方に向けて行なうものであり、
前記エアバッグの下部前端の折り畳み部は、展開方向についての先端の折り畳み部として車内側へ折り返されている請求項１〜３のいずれか１つに記載のサイドエアバッグ装置。
【請求項５】
前記エアバッグは、略上下方向に延びる区画壁により、同区画壁よりも前側の前膨張室と後側の後膨張室とに仕切られており、
前記インフレータは前記後膨張室の下部に配置され、
前記区画壁において前記乗員の胸部の側方となる箇所には、前記後膨張室及び前記前膨張室を連通させる下部連通孔が設けられており、
前記エアバッグの下部前端の折り畳み部は、前記区画壁に交差した状態で折り返されている請求項４に記載のサイドエアバッグ装置。
【発明の詳細な説明】
【技術分野】
【０００１】
本発明は、側突等により車両に側方から衝撃が加わった場合に、車両用シートに着座している乗員と車両の側壁部との間でエアバッグを展開及び膨張させて、乗員の胸部から頭部にかけての部位を衝撃から保護するサイドエアバッグ装置に関するものである。
【背景技術】
【０００２】
車両用シートに着座している乗員の上半身を側突等による衝撃から保護する装置として、エアバッグ及びインフレータを備えたサイドエアバッグ装置が広く知られている。このサイドエアバッグ装置では、エアバッグが折り畳まれた状態でインフレータとともに、車両用シートのシートバック（背もたれ）内に収納されている。そして、車両の側壁部、例えばサイドドア等に対し、側突等により側方から衝撃が加わると、インフレータから膨張用ガスがエアバッグに供給される。エアバッグが展開及び膨張し、一部をシートバック内に残した状態で車両用シートから飛び出す。その後もエアバッグは、乗員と側壁部との間の狭い空間において展開及び膨張する。このエアバッグが、乗員の上半身と車内側へ進入してくる側壁部との間に介在して乗員の上半身を拘束するとともに、側壁部を通じて上記上半身に伝わる側方からの衝撃を緩和する。
【０００３】
上記サイドエアバッグ装置の一態様として、例えば、特許文献１に記載されたものがある。このサイドエアバッグ装置では、インフレータが、シートバック内であって、車両用シートに着座する乗員の胸部の側方近傍に配置されている。そして、側突等による衝撃に応じインフレータから膨張用ガスが噴出されると、その膨張用ガスは、折り畳まれた状態のエアバッグ内を上方及び前方へ向けて流れる。この膨張用ガスにより、エアバッグが、車両用シートに着座している乗員の胸部から頭部にかけての部位と車両の側壁部との間で、車両の前方及び上方へ向けて展開及び膨張する。
【０００４】
また、特許文献２には、乗員の上半身の上記部位とは異なる部位を拘束及び保護するサイドエアバッグ装置が記載されている。
上記特許文献１及び特許文献２に記載されたいずれのサイドエアバッグ装置でも、エアバッグが折り畳まれた状態では、展開方向についての先端である上端の折り畳み部が折り返されている。
【先行技術文献】
【特許文献】
【０００５】
【特許文献１】特開２００７−２０３９３９号公報
【特許文献２】特開２０１０−０７０１７８号公報
【発明の概要】
【発明が解決しようとする課題】
【０００６】
ところが、特許文献１及び特許文献２に記載されたサイドエアバッグ装置では、膨張用ガスが供給されてエアバッグが膨張する際、そのエアバッグの折り返された上端の折り畳み部が車外側に向けて展開することがある。この場合には、エアバッグの上端の折り畳み部が折り返された状態を解消（展開）する過程で車両の側壁部に接触し、摩擦により円滑な展開が妨げられるおそれがある。
【０００７】
上記の問題は、膨張用ガスにより後方から前方へ向けて展開及び膨張するエアバッグにおいて、その展開方向についての先端である前端の折り畳み部が折り返されているものにおいても上記と同様に起こり得る。
【０００８】
本発明は、このような実情に鑑みてなされたものであって、その目的は、エアバッグの展開方向についての先端の折り畳み部を円滑に展開させることのできるサイドエアバッグ装置を提供することにある。
【課題を解決するための手段】
【０００９】
上記課題を解決するサイドエアバッグ装置は、車両用シートに着座する乗員の胸部の側方近傍に配置され、車両側方からの衝撃に応じ膨張用ガスを噴出するインフレータと、複数の折り畳み部が形成されるように折り畳まれた状態で収納され、前記インフレータからの膨張用ガスにより、前記乗員の胸部から頭部にかけての部位と車両の側壁部との間で展開及び膨張するエアバッグとを備えるサイドエアバッグ装置であって、前記エアバッグの展開方向についての先端の折り畳み部が車内側へ折り返されている。
【００１０】
上記の構成によれば、側突等により車両に対し側方から衝撃が加わると、インフレータから膨張用ガスが噴出される。この膨張用ガスは、インフレータに近い側の折り畳み部から遠い側の折り畳み部に向けて供給され、この順で折り畳み部が折りを解消（展開）しながら膨張していく。そして、膨張用ガスが、エアバッグの展開方向についての先端の折り畳み部に供給されると、その折り畳み部が車内側へ折り返されている状態を解消（展開）しながら膨張する。この展開及び膨張の際に、上記先端の折り畳み部は車両の側壁部に接触することがなく、同側壁部との摩擦により円滑な展開を妨げられることが起こりにくい。
【００１１】
上記サイドエアバッグ装置において、前記エアバッグの少なくとも一部は、複数の折り畳み部が形成されるように上方から下方へ向けて折り畳まれており、展開及び膨張を、下方から上方へ向けて行なうものであり、前記エアバッグの上端の折り畳み部は、展開方向についての先端の折り畳み部として車内側へ折り返されていることが好ましい。
【００１２】
上記の構成によれば、車両側方からの衝撃に応じ、インフレータから噴出された膨張用ガスの少なくとも一部は、下方の折り畳み部から上方の折り畳み部に向けて供給される。この膨張用ガスにより、エアバッグでは、下方の折り畳み部から上方の折り畳み部に向けて順に折りを解消（展開）しながら膨張していく。そして、膨張用ガスが、エアバッグの展開方向についての先端である上端の折り畳み部に供給されると、その折り畳み部が車内側へ折り返されている状態を解消（展開）する。この展開の際に、上端の折り畳み部は車両の側壁部に接触することがなく、同側壁部との摩擦により円滑な展開を妨げられることが起こりにくい。
【００１３】
上記サイドエアバッグ装置において、前記エアバッグは、略上下方向に延びる区画壁により、同区画壁よりも前側の前膨張室と後側の後膨張室とに仕切られており、前記インフレータは前記後膨張室の下部に配置され、前記区画壁において前記乗員の頭部の側方となる箇所には、前記後膨張室及び前記前膨張室を連通させる上部連通孔が設けられ、前記区画壁において前記乗員の胸部の側方となる箇所には、前記後膨張室及び前記前膨張室を連通させる下部連通孔が設けられており、上方から下方へ向けて折り畳まれた前記エアバッグのうち、前記区画壁よりも前側の領域は、同一方向に繰り返し折り畳むロール折りにより前方から後方へ向けて折り畳まれ、かつ前記区画壁よりも後側の領域は、折り返す方向を交互に変えて折り畳む蛇腹折りにより前方から後方へ向けて折り畳まれていることが好ましい。
【００１４】
上記の構成によれば、車両側方からの衝撃に応じインフレータから噴出された膨張用ガスの一部は後膨張室内を上方及び前方へ向けて流れる。この膨張用ガスにより、区画壁よりも後方の蛇腹折りされた部分が前方へ向けて展開及び膨張する。ここで、蛇腹折りには、折り状態を解消しやすいという特徴がある。そのため、区画壁よりも後方の蛇腹折りされた部分は、乗員の胸部や頭部の後部側方で速やかに前方へ向けて展開及び膨張し、乗員の上記部位を速やかに拘束及び保護する。
【００１５】
後膨張室内を上方へ流れて乗員の胸部の後部側方となる箇所に至った膨張用ガスの一部は、下部連通孔を通って前膨張室の下部内へ流入する。また、下部連通孔を通過せず後膨張室内を同下部連通孔よりも上方へ流れて乗員の頭部の後部側方となる箇所に至った膨張用ガスの一部は、上部連通孔を通って前膨張室の上部内へ流入する。これらの膨張用ガスにより、区画壁よりも前方のロール折りされた部分が前方へ向けて展開及び膨張する。ここで、ロール折りには、車両の側壁部に沿って展開しやすいという特徴がある。そのため、区画壁よりも前方のロール折りされた部分は、乗員の胸部や頭部の前部側方において車両の側壁部に沿って前方へ展開及び膨張し、乗員の上記部位を的確に拘束及び保護する。
【００１６】
上記サイドエアバッグ装置において、前記エアバッグの少なくとも下部は、複数の折り畳み部が形成されるように前方から後方へ向けて折り畳まれており、前記展開及び膨張を、後方から前方に向けて行なうものであり、前記エアバッグの下部前端の折り畳み部は、展開方向についての先端の折り畳み部として車内側へ折り返されていることが好ましい。
【００１７】
上記の構成によれば、車両側方からの衝撃に応じ、インフレータから噴出された膨張用ガスの少なくとも一部は、エアバッグの下部の後方から前方へ向けて供給される。この膨張用ガスにより、エアバッグの下部では、後方の折り畳み部から前方の折り畳み部に向けて順に折りを解消（展開）していく。そして、膨張用ガスが、エアバッグの展開方向についての先端である下部前端の折り畳み部に供給されると、その折り畳み部が車内側へ折り返されている状態を解消（展開）する。この展開の際に、上記折り畳み部は車両の側壁部に接触することがなく、同側壁部との摩擦により円滑な展開を妨げられることが起こりにくい。
【００１８】
上記サイドエアバッグ装置において、前記エアバッグは、略上下方向に延びる区画壁により、同区画壁よりも前側の前膨張室と後側の後膨張室とに仕切られており、前記インフレータは前記後膨張室の下部に配置され、前記区画壁において前記乗員の胸部の側方となる箇所には、前記後膨張室及び前記前膨張室を連通させる下部連通孔が設けられており、前記エアバッグの下部前端の折り畳み部は、前記区画壁に交差した状態で折り返されていることが好ましい。
【００１９】
上記の構成によれば、車両側方からの衝撃に応じ、インフレータから噴出された膨張用ガスの少なくとも一部は、後膨張室の下部の後方から前方へ向けて流れる。この膨張用ガスにより、後膨張室の下部では、後方の折り畳み部から前方の折り畳み部に向けて順に折りを解消（展開）していく。そして、膨張用ガスが、エアバッグの展開方向についての先端である下部前端の折り畳み部のうち、区画壁よりも後方部分を膨張させる。
【００２０】
また、インフレータから噴出された膨張用ガスの一部は、後膨張室内を上方へ向けて流れる。膨張用ガスは、後膨張室内を上方へ流れて乗員の胸部の側方となる箇所に至ると、下部連通孔を通って、上記下部前端の折り畳み部のうち、区画壁よりも前方部分に流れる。この膨張用ガスにより、上記折り畳み部の車内側へ折り返されている状態が解消（展開）される。この際、上記折り畳み部のうち区画壁よりも前方部分が、上述したように先に膨張を始めている、区画壁よりも後方部分によって押されるため、展開が迅速に行なわれる。
【発明の効果】
【００２１】
上記サイドエアバッグ装置によれば、エアバッグの展開方向についての先端の折り畳み部を車内側へ折り返したため、その折り畳み部を円滑に展開させることができる。
【図面の簡単な説明】
【００２２】
【図１】サイドエアバッグ装置の一実施形態を示す図であり、同装置が設けられた車両用シートをエアバッグ及び乗員とともに示す側面図。
【図２】一実施形態において、車両用シート、エアバッグ、乗員及び側壁部の位置関係を示す平断面図。
【図３】一実施形態において、車両用シート、エアバッグ、乗員及び側壁部の位置関係を示す正断面図。
【図４】一実施形態において、エアバッグモジュールが組み込まれたシートバックの側部の内部構造を示す部分平断面図。
【図５】一実施形態において、エアバッグが非膨張展開状態にされたエアバッグモジュールを示す側面図。
【図６】一実施形態におけるエアバッグの内部の概略構成を示す平断面図。
【図７】図５のエアバッグモジュールの内部構造を乗員及び車両用シートとともに示す部分側断面図。
【図８】一実施形態において、エアバッグモジュールのエアバッグが折り畳まれる前の状態を示す側面図。
【図９】一実施形態におけるエアバッグが折り畳まれる途中段階のエアバッグモジュールを示す図であり、（ａ）は側面図、（ｂ）は上記（ａ）の左方から見た背面図。
【図１０】一実施形態におけるエアバッグが折り畳まれる途中段階のエアバッグモジュールを示す図であり、（ａ）は側面図、（ｂ）は上記（ａ）の左方から見た背面図。
【図１１】一実施形態におけるエアバッグが折り畳まれる途中段階のエアバッグモジュールを示す図であり、（ａ）は側面図、（ｂ）は上記（ａ）の左方から見た背面図。
【図１２】一実施形態におけるエアバッグが折り畳まれる途中段階のエアバッグモジュールを示す図であり、（ａ）は図１１（ａ）の裏側から見た側面図、（ｂ）は、上記（ａ）の右方から見た背面図。
【図１３】一実施形態におけるエアバッグが折り畳まれる途中段階のエアバッグモジュールを示す図であり、（ａ）は側面図、（ｂ）は上記（ａ）のＡ−Ａ線断面図。
【図１４】一実施形態におけるエアバッグが折り畳まれる途中段階のエアバッグモジュールを示す図であり、（ａ）は側面図、（ｂ）は上記（ａ）のＢ−Ｂ線断面図。
【図１５】一実施形態におけるエアバッグが折り畳まれて収納用形態にされたエアバッグモジュールを示す図であり、（ａ）は側面図、（ｂ）は上記（ａ）のＣ−Ｃ線断面図。
【図１６】図４のエアバッグがその一部をシートバック内に残して車両用シートから飛び出して展開及び膨張した状態を示す部分平断面図。
【図１７】一実施形態のエアバッグにおける折り線及び折り畳み部の位置関係を示す側面図。
【図１８】図１１（ｂ）に対応する図であり、第１先端側（上端側）の折り畳み部が上記実施形態とは異なる態様で折り畳まれたエアバッグの変形例を示す背面図。
【発明を実施するための形態】
【００２３】
以下、サイドエアバッグ装置の一実施形態について、図１〜図１７を参照して説明する。
なお、以下の説明では、車両の前進方向を前方と記載し、それを基準に前、後、上、下、左、右を規定している。また、各図において、「前」は車両前側を、「後」は車両後側を、「内」は車両内側を、「外」は車両外側をそれぞれ示している。車両内側は、車幅方向について、その中央位置に近づく側であり、車両外側は上記中央位置から遠ざかる側である。
【００２４】
また、車両用シートには、標準的な体格を有する乗員（大人）が、予め定められた姿勢（正規の姿勢）で着座しているものとする。
図１〜図３に示すように、車両１０において側壁部１１の車内側の近傍には、車両用シート１２が配置されている。ここで、側壁部１１とは、車両１０の側部に配置された車両構成部材を指し、主としてドア、ピラー等がこれに該当する。例えば、前席に対応する側壁部１１は、フロントドア、センターピラー（Ｂピラー）等である。また、後席に対応する側壁部１１は、サイドドア（リヤドア）の後部、Ｃピラー、タイヤハウスの前部、リヤクォータ等である。
【００２５】
車両用シート１２は、シートクッション（座部）１３と、そのシートクッション１３の後側から起立し、かつ傾き調整機構（図示略）により傾斜角度を調整されるシートバック（背もたれ）１４とを備えている。車両用シート１２は、シートバック１４が前方を向く姿勢で車両１０に配置されている。このように配置された車両用シート１２の幅方向は、車幅方向と合致する。
【００２６】
シートバック１４は、シートバック本体１５と、そのシートバック本体１５の幅方向についての両側部に設けられた一対のサイドサポート部１６とを備えている。シートバック本体１５は後側へ傾斜しており、乗員Ｐの上半身を後側から支える。両サイドサポート部１６は、シートバック本体１５から前方へ突出しており、シートクッション１３に腰掛けてシートバック本体１５に凭れた乗員Ｐの上半身の車幅方向についての動きを規制する。
【００２７】
次に、シートバック１４において、車外側のサイドサポート部１６を含む車外側の側部の内部構造について説明する。
シートバック１４内には、その骨格をなすシートフレームが配置されている。シートフレームの一部は、図４に示すように、シートバック１４内の車外側部分に配置されており、この部分（以下「サイドフレーム部１７」という）は、金属板を曲げ加工することによって形成されている。サイドフレーム部１７を含むシートフレームの前側には、ウレタンフォーム等の弾性材からなるシートパッド１８が配置されている。また、シートフレームの後側には、合成樹脂等によって形成された硬質のバックボード１９が配置されている。なお、シートパッド１８は表皮によって被覆されているが、図４ではその表皮の図示が省略されている。後述する図１６についても同様である。
【００２８】
シートパッド１８内において、サイドフレーム部１７の車外側近傍には収納部２１が設けられている。収納部２１の位置は、シートバック１４の上下方向についての中間部分であって、車両用シート１２に着座した乗員Ｐの斜め後方近傍となる（図２参照）。この収納部２１には、サイドエアバッグ装置の主要部をなすエアバッグモジュールＡＭが組み込まれている。
【００２９】
収納部２１の車外側かつ前側の角部からは、斜め前車外側に向けてスリット２２が延びている。シートパッド１８の前側の角部１８ｃとスリット２２とによって挟まれた箇所（図４において二点鎖線の枠で囲んだ箇所）は、後述するエアバッグ４０によって破断される破断予定部２３を構成している。
【００３０】
上記シートバック１４に組み込まれるエアバッグモジュールＡＭは、インフレータアセンブリ３０及びエアバッグ４０を主要な構成部材として備えている。次に、これらの構成部材の各々について説明する。
【００３１】
＜インフレータアセンブリ３０＞
インフレータアセンブリ３０は、ガス発生器としてのインフレータ３１と、そのインフレータ３１を覆うリテーナ３２とを備えている。本実施形態では、インフレータ３１として、パイロタイプと呼ばれるタイプが採用されている。インフレータ３１は略円柱状をなしており、その内部には、膨張用ガスを発生するガス発生剤（図示略）が収容されている。
【００３２】
なお、インフレータ３１としては、上記ガス発生剤を用いたパイロタイプに代えて、高圧ガスの充填された高圧ガスボンベの隔壁を火薬等によって破断して膨張用ガスを噴出させるタイプ（ハイブリッドタイプ）が用いられてもよい。
【００３３】
一方、リテーナ３２は、膨張用ガスの噴出する方向を制御するディフューザとして機能するとともに、上記インフレータ３１をエアバッグ４０と一緒に上記サイドフレーム部１７に締結する機能を有する部材である。リテーナ３２の大部分は、金属板等の板材を曲げ加工等することによって、略上下方向へ延びる略筒状に形成されている。リテーナ３２には、その内外を連通させる連通部（図示略）が設けられており、インフレータ３１から噴出された膨張用ガスの多くが、この連通部を通じてリテーナ３２の外部へ噴き出される。
【００３４】
リテーナ３２には、これを上記サイドフレーム部１７に取付けるための係止部材としてボルト３４が固定されている。
なお、インフレータアセンブリ３０は、インフレータ３１とリテーナ３２とが一体になったものであってもよい。
【００３５】
＜エアバッグ４０＞
図１〜図３において二点鎖線で示すように、エアバッグ４０は、車両１０の走行中等に側突等により衝撃が側壁部１１に側方から加わった場合に、インフレータ３１から膨張用ガスの供給を受けて展開及び膨張し、自身の一部を上記シートバック１４内に残した状態で同シートバック１４から前方へ向けて飛び出す。
【００３６】
図５は、エアバッグ４０が膨張用ガスを充填させることなく平面状に展開させられた状態（以下「非膨張展開状態」という）のエアバッグモジュールＡＭを示している。また、図７は、エアバッグモジュールＡＭの内部構造を示すべく、図５の非膨張展開状態のエアバッグ４０が車幅方向の中央部分で切断されたエアバッグモジュールＡＭを乗員Ｐ及び車両用シート１２とともに示している。
【００３７】
図５〜図７に示すように、エアバッグ４０は、１枚の布片（基布、パネル布等とも呼ばれる）を、その中央部分に設定した折り線４２に沿って二つ折りして車幅方向に重ね合わせ、その重ね合わされた部分を袋状となるように結合させることにより形成されている。ここでは、エアバッグ４０の上記の重ね合わされた２つの部分を区別するために、車内側に位置するものを布部４３といい、車外側に位置するものを布部４４というものとする。各布部４３，４４は、前後方向に対するよりも上下方向に細長い形状をなしている。
【００３８】
なお、本実施形態では、折り線４２がエアバッグ４０の後端部に位置するように布片が二つ折りされているが、折り線４２が他の端部、例えば前端部、上端部、下端部等に位置するように布片が二つ折りされてもよい。また、エアバッグ４０は上記折り線４２に沿って分割された２枚の布片からなるものであってもよい。この場合には、エアバッグ４０は、２枚の布片を車幅方向に重ね合わせ、両布片を、袋状となるように結合させることにより形成される。さらに、エアバッグ４０は３枚以上の布片からなるものであってもよい。
【００３９】
エアバッグ４０においては、両布部４３，４４の外形形状が、折り線４２を対称軸として互いに線対称の関係にある。各布部４３，４４の形状・大きさは、エアバッグ４０が車両用シート１２と側壁部１１との間で展開及び膨張したときに、その車両用シート１２に着座している乗員Ｐの上半身のうち胸部ＰＴから頭部ＰＨにかけての部位に対応する領域を占有し得るように設定されている（図１〜図３）。図７に示すように、エアバッグ４０は、乗員Ｐの頭部ＰＨの側方となる箇所の前端４０ａが、胸部ＰＴの側方となる箇所の前端４０ｂよりも前方に位置するように形成されている。
【００４０】
上記両布部４３，４４としては、強度が高く、かつ可撓性を有していて容易に折り畳むことのできる素材、例えばポリエステル糸、ポリアミド糸等を用いて形成した織布等が適している。
【００４１】
両布部４３，４４の上記結合は、それらの周縁部に設けられた周縁結合部４５においてなされている。本実施形態では、周縁結合部４５の大部分は、両布部４３，４４の周縁部のうち、後端部（折り線４２の近傍部分）を除く部分を、縫製（縫糸で縫合）することにより形成されている。この縫製により形成されているという点は、後述する外結合部５２及び内結合部５３についても同様である。
【００４２】
上記縫製に関し、図５、図７〜図１５及び図１７では、３つの線種によって縫製部分が表現されている。１つ目の線種は、一定長さの太線を断続的に並べて表現した線（破線の一種）であり、これは、縫合部分を側方から見た状態を示している（図５における周縁結合部４５等参照）。２番目の線種は、一定長さ（一般的な破線よりも長い長さ）の細線を断続的に並べて表現した線（破線の一種）であり、これは、布部４３，４４間に位置していて直接は見えない（隠れている）縫糸の状態を示している（図５における内結合部５３等参照）。３番目の線種は、点を一定間隔おきに並べて表現した線（破線の一種）であり、これは、布部４３，４４を縫合している縫糸の断面を示している（図７における周縁結合部４５等参照）。
【００４３】
図５〜図７に示すように、両布部４３，４４間であって、周縁結合部４５によって囲まれた空間は、膨張用ガスによって乗員Ｐの上半身の側方で展開及び膨張することにより、胸部ＰＴから頭部ＰＨにかけての部位を拘束して衝撃から保護するための膨張部となっている。
【００４４】
なお、周縁結合部４５は、上記縫糸を用いた縫合とは異なる手段、例えば接着剤を用いた接着によって形成されてもよい。この接着により形成されてもよいという点は、後述する外結合部５２及び内結合部５３についても同様である。
【００４５】
エアバッグ４０内であって前後方向についての中間部分には、略上下方向に延びる区画壁５０が設けられており、エアバッグ４０が、区画壁５０よりも後側の後膨張室４６と、同区画壁５０よりも前側の前膨張室４７とに仕切られている。区画壁５０は、一般的にテザーと呼ばれるものと同様の構成を有している。
【００４６】
＜区画壁５０＞
区画壁５０は、強度が高く、かつ可撓性を有していて容易に折り畳むことのできる素材、例えば、上記布部４３，４４等と同様の織布等からなる一対の布片５１を備えている。両布片５１は上下方向に細長い帯状をなしている。各布片５１は、その後端縁に沿って略上下方向に延びる外結合部５２によって、エアバッグ４０の両布部４３，４４のうち対向するものに結合されている。両外結合部５２は、エアバッグ４０が膨張したときに、乗員Ｐの上半身における前後方向についての中間部の側方となる箇所で、布片５１の後端部を対応する布部４３，４４に結合している。両布片５１は、それらの前端縁に沿って略上下方向に延びる内結合部５３によって相互に結合されている。
【００４７】
このようにして、一対の布片５１からなる区画壁５０は、エアバッグ４０における車内側の布部４３と車外側の布部４４との間に架け渡されている。区画壁５０は、エアバッグ４０の非膨張展開時には車幅方向に重ね合わされた状態となる（図５、図７参照）。また、区画壁５０は、エアバッグ４０の膨張に伴い、車幅方向に緊張させられた状態となり（図６参照）、同エアバッグ４０の車幅方向の厚み（膨張厚み）を規制する。
【００４８】
区画壁５０において、エアバッグ４０が膨張したときに乗員Ｐの頭部ＰＨの側方となる箇所には、後膨張室４６と前膨張室４７とを連通させる上部連通孔５４が設けられている。また、区画壁５０において、エアバッグ４０が膨張したときに乗員Ｐの胸部ＰＴの側方となる箇所には、後膨張室４６と前膨張室４７とを連通させる下部連通孔５５が設けられている。より詳しくは、上記内結合部５３は、その上端部と下部の２箇所においてそれぞれ結合を解除されている。上下方向についての上端部と下部とでは、両布片５１を結合させる内結合部５３が設けられていない。内結合部５３の上端部において結合を解除された箇所は上部連通孔５４を構成し、同内結合部５３の下部において結合を解除された箇所は上記下部連通孔５５を構成している。上部連通孔５４及び下部連通孔５５は、両布片５１が重ねられた状態では閉じ、エアバッグ４０が膨張し、区画壁５０が車幅方向に緊張させられた状態では開く。
【００４９】
エアバッグ４０が非膨張展開状態にされた状態、すなわち区画壁５０の布片５１が重ね合わせられた状態では、下部連通孔５５の上下長Ｌ１は、上部連通孔５４の上下長Ｌ２よりも長く形成されている。この構成により、エアバッグ４０が膨張したときの下部連通孔５５の開口面積が上部連通孔５４の開口面積よりも大きく設定されている。
【００５０】
そして、上述したインフレータアセンブリ３０の大部分は、略上下方向へ延びる姿勢にされて、後膨張室４６の後端下部に収容されている。リテーナ３２のボルト３４は、エアバッグ４０の車内側の布部４３に挿通されている。この挿通により、インフレータアセンブリ３０がエアバッグ４０に対し位置決めされた状態で係止されている。
【００５１】
さらに、車外側の布部４４は、前膨張室４７の前部であって上記上部連通孔５４と下部連通孔５５との間に排気孔５６を有している。布部４４において、排気孔５６の周りには縫糸で縫製することにより補強部５７が設けられている。補強部５７は、布部４４の排気孔５６の周りを補強して、同部分が裂けたり、ほつれたりするのを抑制するためのものである。
【００５２】
ところで、図４及び図１５（ａ），（ｂ）に示すように、インフレータアセンブリ３０及びエアバッグ４０を主要な構成部材として有するエアバッグモジュールＡＭは、エアバッグ４０が折り畳まれることでコンパクトな形態（以下「収納用形態」という）にされている。これは、エアバッグモジュールＡＭを、シートバック１４における限られた大きさの収納部２１に対し、収納に適したものとするためである。
【００５３】
収納用形態は、非膨張展開状態のエアバッグ４０が、図８〜図１５に示すように折り畳まれることにより得られる。次に、エアバッグ４０が折り畳まれる工程について説明するが、その説明には、折り線４２，６１，６４，６７，７１，７４，７５の位置、折り畳まれる部位の位置、折りの方向等の特定が必要となる。そのため、上記折り線の位置や折り畳まれる部位の位置を特定する際には、インフレータアセンブリ３０を基準として、エアバッグ４０の各部を特定するものとする。インフレータアセンブリ３０の軸線ＡＬに沿う方向（略上下方向）について、インフレータアセンブリ３０に近い端を「第１基端」といい、インフレータアセンブリ３０から遠い端を「第１先端」という。非膨張展開状態のエアバッグ４０が車両用シート１２に取付けられている状態では、上記第１基端は同エアバッグ４０の下端に相当し、上記第１先端は同エアバッグ４０の上端に相当する。
【００５４】
インフレータアセンブリ３０の軸線ＡＬに直交する方向（略前後方向）についても同様である。インフレータアセンブリ３０に近い端を「第２基端」といい、インフレータアセンブリ３０から遠い端を「第２先端」という。非膨張展開状態のエアバッグ４０が車両用シート１２に取付けられている状態では、上記第２基端は同エアバッグ４０の後端に相当し、上記第２先端は同エアバッグ４０の前端に相当する。
【００５５】
また、折りの方向を特定する際には、エアバッグ４０が車両用シート１２に取付けられているものと仮定して、「車外側」及び「車内側」の語を用いるものとする。
図８は、折り線４２及びインフレータアセンブリ３０の軸線ＡＬが上下方向へ延びる姿勢にされた非膨張展開状態のエアバッグ４０を、車外側から見た状態を示している。このエアバッグ４０において、インフレータアセンブリ３０から第１先端側（図８の上端側）へ若干離れた箇所に、折り線４２に直交する折り線６１が設定される。図８において矢印で示すように、エアバッグ４０において、上記折り線６１よりも第１先端側（図８の上端側）の部分６２が、その折り線６１に沿って車外側（図８の手前側）へ折り返される。この折り返しにより、上記部分６２の一部が、エアバッグ４０において、折り線６１よりも第１基端側（図８の下端側）の部分６３の一部に重ねられる。エアバッグ４０は、図９（ａ），（ｂ）に示す形態になる。
【００５６】
次に、上記部分６２において、上記折り線６１から第１先端側（図９（ａ）の下端側）へ離れた箇所に、同折り線６１に対し平行に折り線６４が設定される。同図９（ａ）において矢印で示すように、上記部分６２において、上記折り線６４よりも第１先端側（図９（ａ）の下端側）の部分６５が、その折り線６４に沿って車外側（図９（ａ）の手前側）へ折り返される。この折り返しにより、上記部分６５の一部が、エアバッグ４０のうち折り線６１と折り線６４とによって挟まれた部分（以下「折り畳み部６６」という）の一部に重ねられる。エアバッグ４０は、図１０（ａ），（ｂ）に示す形態になる。
【００５７】
次に、上記部分６５について、上記折り線６４から第１先端側（図１０（ａ）の上端側）へ離れた箇所に、同折り線６４に対し平行に折り線６７が設定される。同図１０（ａ）において矢印で示すように、部分６５において、折り線６７よりも第１先端側（図１０（ａ）の上端側）の部分（以下「折り畳み部６８」という）が、その折り線６７に沿って車内側（図１０（ａ）の奥側）へ折り返される。この折り返しにより、上記折り畳み部６８の多くの部分が、エアバッグ４０のうち折り線６４と折り線６７とによって挟まれた部分（以下「折り畳み部６９」という）の一部に重ねられる。エアバッグ４０は、図１１（ａ），（ｂ）に示す形態になる。
【００５８】
図１２（ａ），（ｂ）は、図１１（ａ），（ｂ）の上記エアバッグ４０を裏側、すなわち車内側から見た状態を示している。この図１２（ａ），（ｂ）に示すように、エアバッグ４０においてインフレータアセンブリ３０の収納されている上記部分６３に折り線７１が設定される。この折り線７１は、エアバッグ４０の展開方向であって、インフレータアセンブリ３０の軸線ＡＬに直交する方向についての第２先端側（前端側）に設定される。ここでは、折り線７１は、軸線ＡＬに対し傾斜するように設定される。図１２（ａ）において矢印で示すように、上記部分６３において、上記折り線７１よりも第２先端側（図１２（ａ）の斜め左下側）の部分（以下「折り畳み部７２」という）が、その折り線７１に沿って車内側（図１２（ａ）の手前側）へ折り返される。この折り返しにより、折り畳み部７２が、部分６３のうち、折り線７１と折り線４２と折り線６１とによって囲まれた部分（以下「折り畳み部７３」という）の一部に重ねられる。エアバッグ４０は図１３（ａ），（ｂ）に示すように、車外側から車内側に向けて、折り畳み部６９，６８，６６，７３，７２が重ねられた中間形態になる。
【００５９】
続いて、図１３（ａ），（ｂ）に示すように、インフレータアセンブリ３０の軸線ＡＬに直交する方向について、上記中間形態のエアバッグ４０の区画壁５０（外結合部５２）よりも第２先端側（前端側）の領域Ｚ１の複数箇所に、上記折り線４２（軸線ＡＬ）に対しそれぞれ平行に折り線７４が設定される。そして、上記領域Ｚ１が、各折り線７４に沿って同一方向に繰り返し折り畳むロール折りにより、第２先端側（前端側）から第２基端側（後端側）へ向けて折り畳まれる。この折り畳みにより、エアバッグ４０は、図１４（ａ），（ｂ）に示す形態になる。
【００６０】
次に、図１４（ａ），（ｂ）に示すように、軸線ＡＬに直交する方向について、ロール折りされた上記エアバッグ４０の区画壁５０（外結合部５２）よりも第２基端側（後端側）の領域Ｚ２の複数箇所に、上記折り線４２（軸線ＡＬ）に対しそれぞれ平行に折り線７５が設定される。そして、上記領域Ｚ２が、各折り線７５に沿って、折り返す方向を交互に変えて折り畳む蛇腹折りにより、第２先端側（前端側）から第２基端側（後端側）へ向けて折り畳まれる。この折り畳みにより、エアバッグ４０は図１５（ａ），（ｂ）に示す収納用形態になる。
【００６１】
このように、エアバッグ４０が折り畳まれて、収納用形態にされたエアバッグモジュールＡＭは、インフレータアセンブリ３０の軸線ＡＬに対し、沿う方向（略上下方向）にも直交する方向（略前後方向）にも寸法が小さくなっており、シートバック１４の狭い収納部２１に対しても収納に適したものとなる。
【００６２】
図４に示すように、収納用形態にされたエアバッグモジュールＡＭにおいて、リテーナ３２から延びてエアバッグ４０（布部４３）に挿通されたボルト３４は、サイドフレーム部１７に挿通されている。そして、このボルト３４にナット３５が締付けられることで、インフレータアセンブリ３０がエアバッグ４０と一緒にサイドフレーム部１７に固定されている。
【００６３】
なお、インフレータアセンブリ３０は、上述したボルト３４及びナット３５とは異なる部材によってサイドフレーム部１７に固定されてもよい。
図１に示すように、サイドエアバッグ装置は、上述したエアバッグモジュールＡＭ（図２参照）のほかに衝撃センサ８１及び制御装置８２を備えている。衝撃センサ８１は加速度センサ等からなり、車両１０の側壁部１１（図２参照）等に設けられており、同側壁部１１に側方から加えられる衝撃を検出する。制御装置８２は、衝撃センサ８１からの検出信号に基づきインフレータ３１の作動を制御する。
【００６４】
さらに、車両１０には、車両用シート１２に着座している乗員Ｐをその車両用シート１２に拘束するためのシートベルト装置が装備されているが、図１等ではこのシートベルト装置の図示が省略されている。
【００６５】
次に、上記のように構成された本実施形態のサイドエアバッグ装置の作用について説明する。
このサイドエアバッグ装置では、側突等により車両１０の側壁部１１に対し側方から衝撃が加わらないときには、制御装置８２からインフレータ３１に対し、これを作動させるための作動信号が出力されず、同インフレータ３１から膨張用ガスがエアバッグ４０に供給されない。エアバッグモジュールＡＭは、収納用形態で収納部２１に収納され続ける（図４参照）。
【００６６】
これに対し、車両の走行中に、側突等により側壁部１１に対し側方から所定値以上の衝撃が加わり、そのことが衝撃センサ８１によって検出されると、その検出信号に基づき制御装置８２からインフレータ３１に対し、これを作動させるための作動信号が出力される。この作動信号に応じて、インフレータ３１では、ガス発生剤が高圧の膨張用ガスを発生し、これを噴出する。噴出された膨張用ガスは、リテーナ３２の連通部を通りエアバッグ４０に供給される。ここで、エアバッグ４０は、その前後方向についての中間部に設けられた区画壁５０により、後膨張室４６及び前膨張室４７に仕切られていて、その後膨張室４６内の後端下部にインフレータアセンブリ３０が配置されている。このことから、インフレータ３１からの膨張用ガスは、後膨張室４６内の後端下部に供給される。
【００６７】
図１７に示すように、この膨張用ガスは、インフレータアセンブリ３０に近い側の折り畳み部７３から遠い側の折り畳み部６８，７２に向けて、後膨張室４６内を流れる。表現を変えると、膨張用ガスは展開方向についての第１基端側（下端側）の折り畳み部７３から第１先端側（上端側）の折り畳み部６８に向けて、後膨張室４６内を上方へ流れる。また、膨張用ガスは展開方向についての第２基端側（後端側）の折り畳み部７３から第２先端側（前端側）の折り畳み部７２に向けて、後膨張室４６内を前方へ流れる。第１基端側及び第２基端側の折り畳み部７３は、インフレータアセンブリ３０が収容された折り畳み部である。
【００６８】
第２基端側から第２先端側の折り畳み部７２に向けて前方へ流れる膨張用ガスは、区画壁５０に至ると、この区画壁５０に沿って流れ方向を上方へ変え、当初から上方へ流れる膨張用ガスに合流する。
【００６９】
上記上方へ向かう膨張用ガスにより、後膨張室４６は、下方から上方に向けて順に折りを解消（展開）しながら膨張していく。
また、上記前方へ向かう膨張用ガスにより、エアバッグ４０のうち区画壁５０よりも後方の蛇腹折りされた領域Ｚ２（図１４参照）が、後方から前方に向けて順に折りを解消（展開）しながら膨張していく。
【００７０】
上記のようにエアバッグ４０が上方や前方へ展開及び膨張する過程で、シートバック１４のシートパッド１８がエアバッグ４０によって押圧され、図４の破断予定部２３において破断される。図１６に示すように、エアバッグ４０は自身の後端部を、インフレータアセンブリ３０とともに収納部２１内に残した状態でシートバック１４から車両１０の略前方へ飛び出す。
【００７１】
上記膨張用ガスは、第２先端側（前端側）の折り畳み部７２のうち、区画壁５０よりも後方部分を膨張させる。
ここで、蛇腹折りには、折り状態を解消しやすいという特徴がある。そのため、区画壁５０よりも後方の蛇腹折りされた領域Ｚ２は、速やかに前方へ向けて展開及び膨張する。
【００７２】
また、後膨張室４６の容積は、エアバッグ４０が区画壁５０によって仕切られていない場合のそのエアバッグ４０の容積よりも小さい。また、後膨張室４６の車幅方向についての膨張厚みは、エアバッグ４０が仕切られない場合のそのエアバッグ４０の車幅方向についての膨張厚みよりも小さい。そのため、後膨張室４６は狭い間隙でも通過しながら展開及び膨張しやすい。
【００７３】
図７及び図１７に示すように、後膨張室４６内を上方へ流れて乗員Ｐの胸部ＰＴの後部側方に至った膨張用ガスの一部は、下部連通孔５５を通って前膨張室４７の下部内へ流入する。また、下部連通孔５５を通過せずに後膨張室４６内を同下部連通孔５５よりも上方へ流れて乗員Ｐの頭部ＰＨの後部側方に至った膨張用ガスの一部は、上部連通孔５４を通って前膨張室４７の上部内へ流入する。この際、下部連通孔５５の開口面積が上部連通孔５４の開口面積よりも大きいことから、下部連通孔５５では上部連通孔５４よりも多くの量の膨張用ガスが流れる。
【００７４】
下部連通孔５５を通って前膨張室４７に流入した膨張用ガスの一部は、上方及び下方へ向きを変える。また、上部連通孔５４を通って前膨張室４７に流入した膨張用ガスの一部は、下方へ向きを変える。
【００７５】
これらの膨張用ガスにより、区画壁５０よりも前方のロール折りされた部分が、胸部ＰＴや頭部ＰＨの前部側方において前方へ向けて展開及び膨張する。この際、上述したように、下部連通孔５５と上部連通孔５４とで膨張用ガスの流量が異なることから、頭部ＰＨの前部側方で展開及び膨張する予定の箇所が、他の箇所、特に胸部ＰＴの側方よりも早期に展開及び膨張すること、すなわち、乗員Ｐの肩部ＰＳと車両の側壁部１１との間隙の狭い箇所を通過する前に展開及び膨張することが起こりにくい。頭部ＰＨの前部側方で展開及び膨張する予定の箇所は、肩部ＰＳと側壁部１１との間の間隙の狭い箇所を通過した後に展開及び膨張する。その結果、エアバッグ４０のうち、乗員Ｐの頭部ＰＨの側方で展開及び膨張させる予定の箇所が、上記間隙の狭い箇所を通過困難となって他の箇所の展開及び膨張を阻害する現象が起こりにくい。エアバッグ４０は、乗員Ｐの胸部ＰＴから頭部ＰＨにかけての部位の側方で展開及び膨張する。
【００７６】
また、ロール折りには、車両１０の側壁部１１に沿って展開しやすいという特徴がある。そのため、区画壁５０よりも前方のロール折りされた部分は、乗員Ｐの胸部ＰＴや頭部ＰＨの前部側方において車両の側壁部１１に沿って前方へ展開及び膨張する。
【００７７】
下部連通孔５５を通って前膨張室４７に流入し、下方へ向きを変えた膨張用ガスが、第２先端側（前端側）の折り畳み部７２のうち、区画壁５０よりも前方部分に供給されると、同折り畳み部７２の車内側へ折り返されている状態を解消（展開）する。この展開の際に、折り畳み部７２は車両の側壁部１１に接触することがなく、同側壁部１１との摩擦により円滑な展開を妨げられることが起こりにくい。また、折り畳み部７２のうち区画壁５０よりも前側部分が、上述したように先に膨張を始めている区画壁５０よりも後側部分によって押されるため、展開が迅速に行なわれる。
【００７８】
後膨張室４６内を上方へ流れる膨張用ガスの一部が、第１先端側（上端側）の折り畳み部６８に至ると、その折り畳み部６８が車内側へ折り返されている状態を解消（展開）する。この展開の際に、折り畳み部６８は車両１０の側壁部１１に接触することがなく、同側壁部１１との摩擦により円滑な展開を妨げられることが起こりにくい。
【００７９】
図７に示すように、エアバッグ４０が展開及び膨張を完了したときには、乗員Ｐの頭部ＰＨの側方となる箇所の前端４０ａが、胸部ＰＴの側方となる箇所の前端４０ｂよりも前方に位置する。そのため、エアバッグ４０の前端４０ｂと同じ箇所に位置したり、後方に位置したりするものに比べ、エアバッグ４０のうち頭部ＰＨの側方で展開及び膨張する領域が前方に広くなる。
【００８０】
ところで、仮に、上部連通孔５４が最上部の折り畳み部６８とは異なる折り畳み部、例えば折り畳み部６９に位置していると、膨張用ガスが上部連通孔５４を通って前膨張室４７に流入して同前膨張室４７を膨張させ、それよりも後に行なわれる折り畳み部６８の展開及び膨張を妨げるおそれがある。
【００８１】
この点、本実施形態では、上部連通孔５４が最上部の折り畳み部６８に位置していることから、同折り畳み部６８が展開する過程で、後膨張室４６内の膨張用ガスが上部連通孔５４を通って前膨張室４７に流入する。従って、上部連通孔５４が原因で折り畳み部６８の展開及び膨張が妨げられることが起こりにくい。
【００８２】
上記のように展開及び膨張したエアバッグ４０は、図２及び図３において二点鎖線で示すように、乗員Ｐと車内側へ進入してくる側壁部１１との間に介在して同乗員Ｐを直接車内側へ押して拘束するとともに、側壁部１１を通じて乗員Ｐに伝わる側方からの衝撃を緩和する。
【００８３】
なお、上部連通孔５４を通って前膨張室４７の上部に流入し、下方へ向きを変えた膨張用ガスは、排気孔５６を通じてエアバッグ４０の外部（布部４４よりも車外側）へ排出される。この膨張用ガスの排気に伴う内圧低下により、側壁部１１を通じて乗員Ｐに伝わる側方からの衝撃が緩和される。また、上記のように前膨張室４７の上部を展開及び膨張させた膨張用ガスは排気孔５６から排出されるため、この膨張用ガスが、排気孔５６よりも下方に位置する前膨張室４７の下部へ流れることが抑制される。その結果、前膨張室４７の下部が胸部ＰＴの側方で過大な圧力で展開及び膨張することが抑制される。
【００８４】
以上詳述した本実施形態によれば、次の効果が得られる。
（１）インフレータ３１からの膨張用ガスにより、車両用シート１２に着座している乗員Ｐの胸部ＰＴから頭部ＰＨにかけての部位と車両１０の側壁部１１との間でエアバッグ４０を展開及び膨張させるようにしたサイドエアバッグ装置において、エアバッグ４０の展開方向についての先端の折り畳み部６８，７２を車内側へ折り返している（図１２）。
【００８５】
そのため、折り畳み部６８，７２が折り返し状態を解消（展開）する際に車両１０の側壁部１１に接触するのを抑制し、同折り畳み部６８，７２を円滑に展開させることができる。
【００８６】
（２）エアバッグ４０を、複数の折り畳み部６６，６８，６９，７３が形成されるように上方から下方へ向けて折り畳み、展開及び膨張を、下方から上方へ向けて行なわせる（図１７）。そして、エアバッグ４０の上端の折り畳み部６８を、展開方向についての先端の折り畳み部として車内側へ折り返している（図１１（ａ），（ｂ））。
【００８７】
そのため、エアバッグ４０の上端の折り畳み部６８が車内側へ折り返されているものにおいて上記（１）の効果を得ることができる。
（３）エアバッグ４０を、略上下方向に延びる区画壁５０により、同区画壁５０よりも前側の前膨張室４７と後側の後膨張室４６とに仕切り、後膨張室４６の下部にインフレータ３１を配置する。区画壁５０において乗員Ｐの頭部ＰＨの側方となる箇所に、後膨張室４６及び前膨張室４７を連通させる上部連通孔５４を設け、区画壁５０において乗員Ｐの胸部ＰＴの側方となる箇所に、後膨張室４６及び前膨張室４７を連通させる下部連通孔５５を設ける（図７）。エアバッグ４０を上方から下方へ向けて折り畳むことにより形成された複数の折り畳み部６６，６８，６９，７３のうち、区画壁５０よりも前側の領域Ｚ１をロール折りにより前方から後方へ向けて折り畳み（図１３（ａ），（ｂ））、区画壁５０よりも後側の領域Ｚ２を蛇腹折りにより前方から後方へ向けて折り畳んでいる（図１４（ａ），（ｂ））。
【００８８】
そのため、区画壁５０よりも後方の蛇腹折りされた部分を、乗員Ｐの胸部ＰＴや頭部ＰＨの後部側方で速やかに前方へ向けて展開及び膨張させて、乗員Ｐの上記部位を速やかに拘束及び保護することができる。また、区画壁５０よりも前方のロール折りされた部分を、乗員Ｐの胸部ＰＴや頭部ＰＨの前部側方において車両の側壁部１１に沿って前方へ展開及び膨張させて、乗員Ｐの上記部位を的確に拘束及び保護することができる。
【００８９】
（４）エアバッグ４０の下部を、折り畳み部７２，７３が形成されるように前方から後方へ向けて折り畳み、展開及び膨張を、後方から前方に向けて行なわせる。そして、エアバッグ４０の下部前端の折り畳み部７２を、展開方向についての先端の折り畳み部として車内側へ折り返している（図１２（ａ））。
【００９０】
そのため、エアバッグ４０の下部前端の折り畳み部７２が車内側へ折り返されているものにおいて上記（１）の効果を得ることができる。
（５）エアバッグ４０を、略上下方向に延びる区画壁５０により、同区画壁５０よりも前側の前膨張室４７と後側の後膨張室４６とに仕切り、後膨張室４６の下部にインフレータ３１を配置する。区画壁５０において乗員Ｐの胸部ＰＴの側方となる箇所に、後膨張室４６及び前膨張室４７を連通させる下部連通孔５５を設ける（図７）。さらに、エアバッグ４０の下部前端の折り畳み部７２を、区画壁５０（外結合部５２）に対し交差させた状態で折り返している（図１２（ａ））。
【００９１】
そのため、下部前端の折り畳み部７２のうち区画壁５０よりも前方部分を、先に膨張を始めている、区画壁５０よりも後方部分によって押すことができ、展開を迅速に行なうことができる。
【００９２】
なお、上記実施形態は、これを以下のように変更した変形例として実施することもできる。
・下部連通孔５５の開口面積が上部連通孔５４の開口面積と同じ大きさに設定されてもよい。この場合であっても、上記実施形態と同様の効果が得られる。
【００９３】
・排気孔５６は、円形とは異なる形状、例えばスリット状に形成されてもよい。
・リテーナ３２が用いられることなくインフレータ３１がサイドフレーム部１７に直接取付けられてもよい。
【００９４】
・エアバッグ４０は、その略全体が上記実施形態のように膨張するものであってもよいが、膨張用ガスが供給されず膨張することのない非膨張部を一部に有するものであってもよい。
【００９５】
・図１０（ａ）における、第１先端側（上端側）の折り畳み部６８の一部がさらに車内側へ折り返されてもよい。図１８は、その一例を示している。この場合、例えば、図１０（ａ）の折り畳み部６８について、折り線６７から第１先端側（図１０（ａ）の上端側）へ離れた箇所に、同折り線６７に対し平行に折り線７７が設定される。同図１０（ａ）に示すように、上記折り畳み部６８において、上記折り線７７よりも第１先端側（図１０（ａ）の上端側）の部分（以下「折り畳み部７８」という）が、その折り線７７に沿って車内側（図１０（ａ）の奥側）へ折り返される。この折り返しにより、上記折り畳み部７８の多くの部分が、エアバッグ４０のうち折り線６７と折り線７７とによって挟まれた部分（以下「折り畳み部７９」という）の多くの部分に重ねられる。
【００９６】
このようにした場合にも、第１先端側（上端側）に位置する折り畳み部７８が車内側へ折り返されている状態を解消（展開）しながら膨張する際に、同折り畳み部７８は車両１０の側壁部１１に接触することがなく、同側壁部１１との摩擦により円滑な展開を妨げられることが起こりにくい。
【００９７】
・エアバッグ４０の下部は、３つ以上の折り畳み部が形成されるように前方から後方へ向けて２回以上折り畳まれてもよい。
・エアバッグ４０の第２先端側（前端側）から第２基端側（後端側）に向かう折り畳みは、同エアバッグ４０の下部にとどまらず、同下部を含めそれよりも上側部分に対して行なわれてもよい。
【００９８】
・エアバッグ４０の第１先端側（上端側）から第１基端側（下端側）に向かう折り畳みと、第２先端側（前端側）から第２基端側（後端側）に向かう折り畳みのいずれか一方が省略されてもよい。
【００９９】
・区画壁５０は１枚の布片によって構成されてもよい。
・車両用シート１２のシートバック１４に代えて、側壁部１１に収納部２１に相当する箇所が設けられ、ここにエアバッグモジュールＡＭが組み込まれてもよい。
【０１００】
・上記サイドエアバッグ装置が適用される車両には、自家用車に限らず各種産業車両も含まれる。
【符号の説明】
【０１０１】
１０…車両、１１…側壁部、１２…車両用シート、３１…インフレータ、４０…エアバッグ、４６…後膨張室、４７…前膨張室、５０…区画壁、５４…上部連通孔、５５…下部連通孔、６６，６８，６９，７２，７３…折り畳み部、Ｐ…乗員、ＰＨ…頭部、ＰＴ…胸部、Ｚ１，Ｚ２…領域。
【図１】
2014237411.tif 000003
【図２】
2014237411.tif 000004
【図３】
2014237411.tif 000005
【図４】
2014237411.tif 000006
【図５】
2014237411.tif 000007
【図６】
2014237411.tif 000008
【図７】
2014237411.tif 000009
【図８】
2014237411.tif 000010
【図９】
2014237411.tif 000011
【図１０】
2014237411.tif 000012
【図１１】
2014237411.tif 000013
【図１２】
2014237411.tif 000014
【図１３】
2014237411.tif 000015
【図１４】
2014237411.tif 000016
【図１５】
2014237411.tif 000017
【図１６】
2014237411.tif 000018
【図１７】
2014237411.tif 000019
【図１８】
2014237411.tif 000020